(57)【要約】【課題】吸収体の構成に手を加えることによって、吸収体の吸収性及び体液保持性を向上し、使用者が感じる不快感を軽減できる吸収体を提供する。【解決手段】使い捨て吸液パッド１０は、身体側に面する透水性のトップシートと３１、衣服側に面する不透水性のバックシート４１と、トップシート及びバックシートに内包され体液を吸収する機能を有する吸液性コア５１と、を備える。使い捨て吸液パッド１０は、トップシート３１と吸液性コア５１との間に、吸液性コア５１に向く側の繊維密度がトップシートに向く側の繊維密度より大きいセカンドシート８１が設けられている。セカンドシート８１は、トップシート３１と吸液性コア５１との間に、吸液性コア５１に向く側からトップシート３１に向く側に向かって繊維密度が大きくなっていく。セカンドシート８１と吸液性コア５１との間には、疎水性を有する疎水層が設けられている。【選択図】図６
2007130504.tif 000002
【特許請求の範囲】
【請求項１】
身体側に面する透水性の表面側シートと、衣服側に面する裏面側シートと、前記表面側シート及び前記裏面側シートに内包され体液を吸収する機能を有する吸液性コアと、を備える吸収性物品において、前記表面側シートと前記吸液性コアとの間に、当該吸液性コアに向く側の繊維密度が当該表面側シートに向く側の繊維密度より大きい体液透過性シートが設けられていることを特徴とする吸収性物品。
【請求項２】
身体側に面する透水性の表面側シートと、衣服側に面する裏面側シートと、前記表面側シート及び前記裏面側シートに内包され体液を吸収する機能を有する吸液性コアと、を備える吸収性物品において、前記表面側シートと前記吸液性コアとの間に、当該表面側シートに向く側から前記吸液性コアに向く側に向かって繊維密度が大きくなっていく体液透過性シートが設けられていることを特徴とする吸収性物品。
【請求項３】
前記体液透過性シートと前記吸液性コアとの間には、疎水性を有する疎水層が設けられていることを特徴とする請求項１又は請求項２記載の吸収性物品。
【請求項４】
前記疎水層は前記吸液性コア側に色又は図柄が施されているものであることを特徴とする請求項３記載の吸収性物品。
【請求項５】
前記色又は図柄は、印刷により形成されたものであることを特徴とする請求項４記載の吸収性物品。
【請求項６】
前記色又は図柄は、前記表面側シートの身体側に面する側とは逆側に位置する体液透過性シートに施され、かつ、前記体液透過性シートの前記表面側シートとは逆側の面に施されているものであることを特徴とする請求項４又は請求項５記載の吸収性物品。
【請求項７】
身体側に面する透水性の表面側シートと、衣服側に面する裏面側シートと、前記表面側シート及び前記裏面側シートに内包され体液を吸収する機能を有する吸液性コアと、を備える吸収性物品の製造方法であって、一の面から他の面に向けて繊維密度が大きくなっていくような密度勾配を有する体液透過性シートを製造する工程と、前記繊維密度が大きい側の面に疎水性を付与する印刷を行う工程と、前記印刷を行った面を前記吸液性コアに向けて前記表面側シートとの間に挟む工程と、を含む吸収性物品の製造方法。
【発明の詳細な説明】
【技術分野】
【０００１】
本発明は、体液を吸収する吸収性物品に関するものである。
【背景技術】
【０００２】
従来の紙おむつ、失禁パッド、生理用ナプキンなど体液を吸収する吸収性物品は、一般に、身体側に面する透水性の表面側シート、衣服側に面する裏面側シート、そしてこれらに内包され体液を吸収する吸液性コアからなり、使用者から放出された体液は、表面側シートを介して吸液性コアに吸収されるようになっている。
【０００３】
表面側シートを介して吸液性コアの上面に到達した体液は、親水性の素材からなる吸液性コアに順次吸収されることになる。このとき、着用者の感じる不快感をできるだけ少なくするためには、尿や体液がすばやく表面側シートから吸液性コアに移行され、吸液性コアから表面シート側への尿や体液の戻りが少ないことが必要である。一方、使用者はこれらの製品を使用した後には、製品を捨てることになるが、製品を捨てる際に、体液が付着した部分を目にすることは、使用者以外の他人はもちろん、使用者本人でも不快感を感じるものである。
【０００４】
このため、吸液性コアの尿や体液で濡れた部分を隠蔽、及び吸収性を向上するために、崇高で高目付の親水性不織布が表面材やその直下に配置されるセカンドシートとして使用されている。
【発明の開示】
【発明が解決しようとする課題】
【０００５】
上述のように、吸液性コアの素材等を研究して、製品の吸収性を向上させることは盛んに行われており、体液の吸収性を高めるという点から見れば、ある程度の成功は収めている。しかしながら、充分な隠蔽効果を不織布で持たせようとすると、高目付化、高密度化が必要となり、かえって表面側シートから吸液性コアへの体液移行を損ねたり、表面側シートに残存する体液が増えてしまう虞がある。また、吸収性物品が硬くなってしまい、着用者の着用感を損ねてしまう虞がある。
【０００６】
本発明は、このような観点を鑑みてなされたものであり、その目的は、吸収性物品の構成に手を加えることによって、吸収性物品の吸収性及び体液保持性を向上させるとともに、体液の隠蔽性もまた向上し、使用者が感じる不快感を軽減できる吸収性物品を提供することにある。
【課題を解決するための手段】
【０００７】
上記のような課題を解決するために、本発明に係る吸収性物品は、表面側シートと吸液性コアの間に体液透過性シートを設け、このシートの繊維密度の勾配を調整し、さらに体液透過性シートの吸液性コア側に疎水性の疎水層を設けることによって、吸収性物品の吸収性及び体液保持性を向上し、使用者が感じる不快感を軽減するものである。
【０００８】
より具体的には、本発明は、以下のようなものを提供する。
【０００９】
（１）  身体側に面する透水性の表面側シートと、衣服側に面する裏面側シートと、前記表面側シート及び前記裏面側シートに内包され体液を吸収する機能を有する吸液性コアと、を備える吸収性物品において、前記表面側シートと前記吸液性コアとの間に、当該吸液性コアに向く側の繊維密度が当該表面側シートに向く側の繊維密度より大きい体液透過性シートが設けられていることを特徴とする吸収性物品。
【００１０】
（２）  身体側に面する透水性の表面側シートと、衣服側に面する裏面側シートと、前記表面側シート及び前記裏面側シートに内包され体液を吸収する機能を有する吸液性コアと、を備える吸収性物品において、前記表面側シートと前記吸液性コアとの間に、当該表面側シートに向く側から前記吸液性コアに向く側に向かって繊維密度が大きくなっていく体液透過性シートが設けられていることを特徴とする吸収性物品。
【００１１】
（３）  前記体液透過性シートと前記吸液性コアとの間には、疎水性を有する疎水層が設けられていることを特徴とする（１）又は（２）記載の吸収性物品。
【００１２】
（４）  前記疎水層は前記吸液性コア側に色又は図柄が施されているものであることを特徴とする（３）記載の吸収性物品。
【００１３】
（５）  前記色又は図柄は、印刷により形成されたものであることを特徴とする（４）記載の吸収性物品。
【００１４】
（６）  前記色又は図柄は、前記表面側シートの身体側に面する側とは逆側に位置する体液透過性シートに施され、かつ、前記体液透過性シートの前記表面側シートとは逆側の面に施されているものであることを特徴とする（４）又は（５）記載の吸収性物品。
【００１５】
（７）  身体側に面する透水性の表面側シートと、衣服側に面する裏面側シートと、前記表面側シート及び前記裏面側シートに内包され体液を吸収する機能を有する吸液性コアと、を備える吸収性物品の製造方法であって、一の面から他の面に向けて繊維密度が大きくなっていくような密度勾配を有する体液透過性シートを製造する工程と、前記繊維密度が大きい側の面に疎水性を付与する印刷を行う工程と、前記印刷を行った面を前記吸液性コアに向けて前記表面側シートとの間に挟む工程と、を含む吸収性物品の製造方法。
【発明の効果】
【００１６】
本発明によれば、「身体側に面する透水性の表面側シートと、衣服側に面する裏面側シートと、前記表面側シート及び前記裏面側シートに内包され体液を吸収する機能を有する吸液性コアと、を備える吸収性物品において、前記表面側シートと前記吸液性コアとの間に、当該吸液性コアに向く側の繊維密度が当該表面側シートに向く側の繊維密度より大きい体液透過性シートを設け、前記体液透過性シートと前記吸液性コアとの間に、前記吸液性コア側に色又は図柄を印刷することにより形成した疎水層を設け」たことにより、放出された体液の拡散性、保持力、隠蔽性を高めることが可能となる。
【発明を実施するための最良の形態】
【００１７】
以下に、本発明の実施形態について図面に基づいて説明する。以下の説明では、本発明の吸収性物品を用いるのに好適なものとして、いわゆる使い捨ておむつに用いられる吸液パッドを用いて説明しているが、本発明の吸収性物品の用い方はこれに限られず、いわゆる生理用ナプキン等の体液を吸収する製品にも用いることができるものである。
【００１８】
なお、本実施形態において、「幅」というときは使い捨ておむつ等の「短手方向」を意味し、「長さ」というときは使い捨ておむつ等の「長手方向」を意味し、更に、「厚さ」というときは使い捨ておむつ等の「高さ方向」を意味する。
【００１９】
［機能説明］
図１は、本実施形態の使い捨て吸液パッドを示す概略斜視図である。
【００２０】
使い捨て吸液パッド１０は、パッドタイプの使い捨ておむつであり、両腿に挟み込むように装着された後に、その外面を覆うように紙製若しくは布製のおむつ、パンツ等を装着することにより固定されるものである。
【００２１】
この使い捨て吸液パッド１０は、幅方向と交差する長手方向に胴回り域２０、２１と、これらの胴回り域２０、２１の間に位置する股下域２２と、を有し、互いに対向して長手方向へ延び、股下域２２において使い捨て吸液パッド１０の内方へ湾曲する両側縁２３、２４と、両側縁２３、２４と交差して互いに対向して幅方向へ延びる両端縁２５、２６と、を有する前後対象、左右対称タイプのものである。
【００２２】
この胴回り域２０、２１及び股下域２２にかけて、幅方向中央部には、透液性のトップシート３１が面しており、後述する不透液性のバックシート４１（図２参照）とともに、後述する吸液性コア５１（図３参照）を内包する。
【００２３】
また、使い捨て吸液パッド１０は、その両側縁２３、２４に、上述したトップシート３１、バックシート４１、吸液性コア５１を接合する防漏カフ６１、７１（図２参照）を有し、後述する如く、防漏カフ６１、７１に内在する複数の弾性部材６２、６３、６４、７２、７３、７４（図２参照）により、使い捨て吸液パッド１０を内方へ湾曲させる。
【００２４】
更にまた、使い捨て吸液パッド１０は、股下域２２の中央部近傍から胴回り域２０、２１の端縁２５、２６近傍に、使い捨ておむつ１０の非肌当接面の方向へ凹むポケット２７、２８を備えており、このポケット２７、２８は、固形の排出物を蓄積する機能を有する。尚、本実施形態の使い捨て吸液パッド１０は、前後対称タイプであり、胴周り域２０を前面として使用する場合には、ポケット２８が固形の排出物を蓄積する機能を有し、胴回り域２１を前面として使用する場合には、ポケット２７が固形の排出物を蓄積する機能を有するものである。
【００２５】
また、股下域２２の中央部には、幅方向に延びる折り目２９が形成されており、胴回り域２０を前面とし、その胴回り域２０を身体側に頂点がくるように折り曲げた場合であっても、胴回り域２１及び股下域２２に皺を生じさせないように構成されている。
【００２６】
［吸収性物品の構成］
図２は、本実施形態の使い捨て吸液パッド１０を示す分解斜視図であり、図３は、本実施形態の使い捨て吸液パッド１０を示す断面図である。尚、図２は、複数の弾性部材６２、６３、６４、７２、７３、７４により防漏カフ６１、７１が縮まないことを想定して描かれたものである。
【００２７】
使い捨て吸液パッド１０は、図２に示す如く、透液性のトップシート３１と、不透液性のバックシート４１と、トップシート３１及びバックシート４１の間に介在する吸液性コア５１（図３参照）と、トップシート３１及び吸液性コア５１との間に介在する「体液透過性シート」であるセカンドシート８１と、これらのトップシート３１、バックシート４１、及び、吸液性コア５１を接合し、長手方向に延びる一対の防漏カフ６１、７１と、で構成されている。
【００２８】
上述したトップシート３１は、装着時に身体側に当接するものであり、透液性の不織布や開孔プラスチックフイルム等の透液性のシートが使用される。
【００２９】
また、上述したバックシート４１は、装着時に衣服側に当接するものであり、不透液性のプラスチックフイルムまたはプラスチックフイルムと疎水性不織布とのラミネートシート、好ましくは通気不透液性のシートが使用される。
【００３０】
上述した吸液性コア５１は、二層タイプの吸液コアであり、上層吸液体１０１と、下層吸液体１３１と、それらの上層吸液体１０１及び下層吸液体１３１の各々の外周を被覆する透液性の包装シート１２１、１５１と、で構成されている。
【００３１】
この上層吸液体１０１、下層吸液体１３１は、フラッフパルプと高吸収性ポリマー粒子との混合物であり、所要の厚みに圧縮され、全体がティシュペーパ等の透水性を有する包装シート１２１、１５１によって被覆されている。
【００３２】
尚、本実施形態における吸液性コア５１においては、上述した構成としたが、本発明はこの構成に限らず、例えば、高吸収シート等を挟み込んだものであってもよく、更には、一層タイプの吸液性コアを用いてもよい。
【００３３】
［体液透過性シートの説明］
図３に示すように、「身体側に面する透水性の表面側シート」であるトップシート３１と、「体液を吸収する機能を有する」吸液性コア５１との間には、崇高なセカンドシート８１が位置している。セカンドシート８１とトップシート３１とは、互いに固着されているものであるが、図３では説明の便宜上、それぞれのシートが固着されていない状態を図示している。また、セカンドシート８１と吸液性コア５１も固着されているものであるが、図３では固着されていない状態で図示している。
【００３４】
図４にセカンドシート８１を拡大した断面図を示す。図４に示すように、セカンドシート８１は、２層構造の繊維層８１ａ、８１ｂから構成されるものである。上述したように、繊維層８１ａは、トップシート３１にホットメルト接着剤等の接着剤により固着されている。固着方法としては、上述したホットメルト接着剤を用いる方法の他に、熱エンボス加工等の熱溶着を用いてもよい。
【００３５】
繊維層８１ａは初期親水性の油剤を用いて形成された不織布であり、ポリエチレン、ポリプロピレンを主材料とする芯鞘構造を有し、繊維層８１ｂは耐久親水性の油剤を用いて形成された不織布であり、ポリエチレン、ポリエチレンテレフタラートを主材料とする芯鞘構造を有するものである。
【００３６】
また、繊維層８１ａは繊維層８１ｂと比較して、その繊維密度が低いものを用いている。このように、身体側に面する面から遠ざかるに従って繊維密度を高めることにより、セカンドシート８１の吸水性を高めることが可能となる。
【００３７】
なお、本実施形態においては、セカンドシート８１を繊維密度に差のある二つの繊維層を用いた２層構造としているが、本発明はこれに限られない。すなわち、トップシート３１側から吸液性コア５１側に向かうに従って繊維密度が大きくなるような構造であれば、その層が単一であっても３層以上であっても本発明の目的は実現できるものである。
【００３８】
また、本実施形態においては、繊維層８１ａをポリエチレン、ポリプロピレンを主材料とする芯鞘構造を有するものとし、繊維層８１ｂをポリエチレン、ポリエチレンテレフタラートを主材料とする芯鞘構造を有するものとしているが、本発明はこれに限らず、繊維層８１ａ、８１ｂをポリエチレン、ポリプロピレン、ポリエチレンテレフタラート等を主材料とする単一繊維構造、又は中空構造を有するものとしてもよい。さらに、繊維密度に差を付けることは、使用する繊維の繊維径に差を付ける方法でも実現可能である。
【００３９】
繊維層８１ｂの吸液性コア５１側には、疎水性を有する疎水層が形成されている（図５参照）。疎水層として用いられる材料は、吸液性コア５１の表面全体に、体液を適度に拡散させる程度の疎水性を有するものであり、かつ、吸液性コア５１に体液が吸収されようとするのを妨げない程度のものであることが好ましい。
【００４０】
例えば、図５（Ａ）のように、疎水性を有する繊維により形成された疎水層９０を設けることも可能ではあるが、疎水層に厚みが生じると、逆に吸液性コア５１の体液吸収を妨げることになるため、断面厚さを小さくすることが必要となってくる。
【００４１】
実験によると、セカンドシート８１と疎水層を合わせて、その断面厚みが１．５〜２．０ｍｍ程度であれば本発明の目的をより効果的に実現することができることが分かる。図５（Ｂ）のように、疎水性を有するインク等で繊維層８１ｂの吸液性コア５１側の面８１ｃ（図４参照）に印刷を施すことにより疎水層９１を形成するようにすると、疎水層の断面厚さも上記基準を満たすものとなるため、拡散性を有しながら吸液性コア５１の体液吸収を妨げないものとして、より好適である。
【００４２】
繊維層８１ｂのうち、吸液性コア５１と接する面を印刷するインクとしては、吸収性物品が体液を吸収した後のことを考慮して、体液等に溶解しないようなものが好適である。このようなインクとしては、例えば、顔料が０〜５０％、バインダー樹脂が１５〜２５％、水が３５〜８０％の含有率からなるインクが挙げられる。また、印刷にはグラビア塗工法を用いる。
【００４３】
印刷を行う面８１ｃは、印刷を施しやすくするために、製造時に熱ロールにより平滑化され、さらに高密度化されている。不織布など布帛の表面平滑性の定量的評価法としてＫＥＳシステム（カトーテック（株））があり、このＫＥＳ−ＦＢ４測定評価システムにより、その特徴を明確に規定できる。このシステムにより、面８１ｃの平滑度は、特に表面粗さの平均偏差より求められたパラメータであるＳＭＤ値で２．０〜４．５（μｍ）であることが好ましい。
【００４４】
さらに、繊維層８１ｂの面８１ｃに、色を施した印刷を行うようにすれば、使用前には清潔感をアピールすることができ、また、使用後には体液を吸収した後の隠蔽性を高めることができる。このような２つの効果を満たす色としては、例えばグリーンやブルー等が好適である。また、図柄を施した印刷することにより、上記の効果に加え、体液をより好ましい方向へ拡散させることができる。この効果を満たすような図柄としては、吸液性コア５１の中心付近に位置する吸収性の高い部分には大きめの図柄を配置し、吸収性の低い周縁部には小さめの図柄を配置して印刷するようにすることが好ましい。
【００４５】
［作用］
以上のように構成された本実施形態の使い捨て吸液パッド１０の作用について説明する。
【００４６】
使い捨て吸液パッド１０は、図６に示すように、身体側に面する透水性のトップシート３１側から、セカンドシート８１の吸液性コア５１側に印刷された色が視認できるような状態にある。このように視認される色は、上述したように、セカンドシート８１のうち、トップシート３１とは逆側の面に印刷されているものである（図３参照）。このような構成とすることで、使い捨て吸液パッド１０の使用者の目には、清潔感を感じさせる程度に淡い色彩に映ることとなる。また、適度に淡い色彩とすることで、使用前から吸収した体液の色を隠蔽しようという押しつけがましさを感じさせないため、使用者の肌に触れるものとして好感の持てる状態となっている。使い捨て吸液パッド１０では、使用者が体液を放出することにより、体液の吸収が始まる。
【００４７】
使用者から放出された体液は、トップシート３１を介し、セカンドシート８１の上面に到達する。図５（Ａ）に示すように、セカンドシート８１は、繊維密度の比較的小さい繊維層８１ａと、繊維密度の比較的大きい繊維層８１ｂと、からなっており、セカンドシート８１の上面に到達した体液は、繊維密度の勾配の高い方（つまり、図５（Ｂ）に示す＋Ｙ方向）に導かれるように移動する。移動した体液は、繊維層８１ｂの面８１ｃ（図４参照）に印刷することにより形成された疎水層９１の上面に到達する。
【００４８】
疎水層９１の上面に到達した体液は、吸液性コア５１を構成する繊維の毛管力により、吸液性コア５１に徐々に吸収される。このとき、疎水層９１が疎水性を持つため、体液は疎水層９１の上面上で拡散する（つまり、図５（Ｂ）に示すＸ方向に体液が広がる）ことになる。これにより、吸液性コア５１は、その吸収性を広い範囲にわたって発揮することができることとなる。
【００４９】
図７及び図８に、上述したような「拡散性の向上」を裏付けるデータを示す。図７は、吸収性物品の吸収性を実験する方法を示す説明図である。実験は図１１に示すように三回ずつ行われ、その平均値を算出している。図７では、セカンドシート８１の長手方向をＭＤ方向、幅方向をＣＤ方向と記載している。実験は、繊維層８１ｂの面８１ｃを下方にしたセカンドシート８１の下方に濾紙１４１を５枚積層したものを用意し、セカンドシート８１の上方から１ｃｃ／秒のタイミングで液体を投下して、濾紙１４１上で液体の拡散範囲を計測することにより行われる。実験は印刷が施されたセカンドシートと、印刷が施されていないセカンドシートの両方について行われる。
【００５０】
図８に実験結果のデータを示す。図８（Ｂ）により明らかなように、印刷が施されたセカンドシート８１では、その拡散範囲がＭＤ方向（長手方向）、ＣＤ方向（幅方向）ともに広いのに対し、印刷が施されていないセカンドシート８１では、拡散範囲も狭いものとなっている。
【００５１】
以上のように、セカンドシート８１の吸液性コア５１側に印刷を施すことにより、拡散性を向上させる機能を持つ疎水層が形成されることになる。これにより、吸液性コア５１は、広い範囲にわたってその吸収力を発揮することができるため、体液を吸収する性能も向上することとなる。
【００５２】
一方、疎水層９１の疎水性が働くことにより、吸液性コア５１の保水性は高まることとなる。具体的には、吸液性コア５１に吸収された体液は、疎水層９１の疎水性により、逆方向（つまり、図５（Ｂ）に示す−Ｙ方向）に逆戻りすることを妨げられ、吸収した排出物を身体側からより遠くに蓄積させることができることとなる。
【００５３】
図９及び図１０に、上述したような「体液保持性の向上」を裏付けるデータを示す。図９は、吸収性物品の体液保持性を実験する方法を示す説明図である。実験は図１２に示すように五回ずつ行われ、その平均値を算出している。図９に示すように、この実験は、繊維層８１ｂの面８１ｃを下に向けたセカンドシート８１の下方に粉砕パルプ１４２（１００ｇ／平方メートル）を設置し、セカンドシート８１の上方から１ｃｃ／秒（図９（Ａ）では５ｃｃ／５秒としている）のタイミングで液体を投下して、セカンドシート８１に液体を注入することを第一段階としている（図９（Ａ）参照）。そして、第二段階として、１５秒後にセカンドシート８１の上方に濾紙１４１を積層し、その濾紙１４１の上方から重石１４３の重量（５ｋｇ、１０ｃｍ四方）を利用してセカンドシート８１を押圧し、荷重をかけてから１０秒後に濾紙１４１上に検出された逆戻りした液体の量を測定している（図９（Ｂ）参照）。実験は印刷が施されたセカンドシートと、印刷が施されていないセカンドシートの両方について行われる。
【００５４】
図１０に実験結果のデータを示す。図１０（Ｂ）により明らかなように、印刷が施されたセカンドシート８１では、その液戻り量が平均１．８ｇと少ないのに対し、印刷が施されていないセカンドシート８１では、液戻り量も２．５ｇと多いものとなっている。
【００５５】
以上のように、セカンドシート８１の吸液性コア５１側に印刷を施すことにより、その疎水性から吸液性コア５１からの液戻り量を低減させることになる。これにより、吸液性コア５１は、その体液保持性を向上させることができることとなる。
【００５６】
さらに、疎水層９１を形成するインクは、体液が染みた部分とそれ以外の部分の色差を小さくすることとなる。これにより、使い捨て吸液パッド１０に吸収された体液の色は目立ちにくくなることとなり、使用者が、使用後の使い捨て吸液パッド１０を捨てるときなどに、不快感を感じることを軽減できることになる。
【００５７】
以上のように構成された吸収性物品を使い捨て吸液パッドに用いることにより、使用前には使用者に清潔感を与え、使用時には体液の拡散性を高めることにより吸収性を向上し、使用後には吸収された体液の保持力を向上させつつ、その隠蔽性を高めることができる。
【図面の簡単な説明】
【００５８】
【図１】本実施形態における吸収性物品を用いた使い捨て吸収パッドを示す概略斜視図である。
【図２】本実施形態における吸収性物品を用いた使い捨て吸液パッドを示す分解斜視図である。
【図３】本実施形態における吸収性物品を用いた使い捨て吸液パッドの概略を示す断面図である。
【図４】本実施形態における吸収性物品の体液透過性シートの概略を示す断面図である。
【図５】本実施形態における吸収性物品の体液透過性シート及び疎水層の概略を示す断面図である。
【図６】本実施形態における吸収性物品の体液透過性シートを用いた使い捨て吸液パッドの概略を示す概略斜視図である。
【図７】本実施形態における吸収性物品の拡散性を実験する方法を説明する説明図である。
【図８】本実施形態における吸収性物品の拡散性を実験した数値をデータとして示す説明図である。
【図９】本実施形態における吸収性物品の体液保持性を実験する方法を説明する説明図である。
【図１０】本実施形態における吸収性物品の体液保持性を実験した数値をデータとして示す説明図である。
【図１１】図７及び図８における実験の結果を示す表である。
【図１２】図９及び図１０における実験の結果を示す表である。
【符号の説明】
【００５９】
１０、２１１    使い捨て吸液パッド
２０、２１    胴回り域
２２    股下域
２２ａ    中央部
２３、２４    側縁
２５、２６    端縁
２７、２８    ポケット
３１    トップシート
４１    バックシート
５１    吸液性コア
６１、７１    防漏カフ
６２、６３、６４、７２、７３、７４    弾性部材
８１  セカンドシート
８１ａ、８１ｂ    繊維層
８１ｃ    面
９０、９１    疎水層
１０１    上層吸液体
１２１    包装シート
１３１    下層吸液体
１４１    濾紙
１４２    粉砕パルプ
１４３    重石
【図１】
2007130504.tif 000003
【図２】
2007130504.tif 000004
【図３】
2007130504.tif 000005
【図４】
2007130504.tif 000006
【図５】
2007130504.tif 000007
【図６】
2007130504.tif 000008
【図７】
2007130504.tif 000009
【図８】
2007130504.tif 000010
【図９】
2007130504.tif 000011
【図１０】
2007130504.tif 000012
【図１１】
2007130504.tif 000013
【図１２】
2007130504.tif 000014